(57)【要約】部屋の壁の周囲を少なくとも部分的に囲むように配置される壁面コーニス。このコーニスは配線および他の材料を収容して支えるように形成され、また、コーニス内の電源に接続可能で、前記電源の配線材料をコーニスからコーニスの下の壁上の必要位置までに延ばすことができ、それによって室内における固定された電源コンセントの必要を排除できるダクト手段を備えている。このためコーニスは、室内で必要とされるすべての電気配線およびケーブルを収容できる。
2004507196.tif 000002
【特許請求の範囲】
【請求項１】
部屋の壁の周囲を少なくとも部分的に囲むように配置されている壁面コーニスであって、配線、ケーブル、ダクトおよび他の材料を収容して支えるように形成されており、また、前記コーニス内の電源を、前記コーニス下方の任意の所要位置に電力を送るようになっている給電手段に接続する手段を備えており、それによって室内における固定された電源コンセントの必要を無くす壁面コーニス。
【請求項２】
あらゆる形態の電気配線とケーブルおよび部屋に必要な他のダクトを前記コーニスの内部に収容でき、前記コーニスの下方の任意の所要位置に供給する、請求項１に記載の壁面コーニス。
【請求項３】
前記コーニス内の電源が電気母線である、請求項２に記載の壁面コーニス。
【請求項４】
室内で利用される電力を、前記コーニスの内に位置し、前記コーニスから必要とされる電力コンセントまで延びているダクト手段を通る電気母線から供給される、請求項３に記載の壁面コーニス。
【請求項５】
前記ダクト手段は、前記母線と連結しており、電気エネルギーを電源コンセントに送る給電手段で終端するアダプタを含んでいる、請求項４に記載の壁面コーニス。
【請求項６】
壁パネルを壁からある所定の距離をあけて吊り下げる手段を有する、請求項１〜５のいずれか１項に記載の壁面コーニス。
【請求項７】
食器棚または他の調度品が吊り下げられた壁パネルと一体型に形成されている、請求項６に記載の壁面コーニス。
【請求項８】
前記壁面コーニスと係合するようになっているブラケットを有し、前記ブラケットは任意のケーブルまたは他のダクトを支持する手段を備えている、請求項１〜７のいずれか１項に記載の壁面コーニス。
【請求項９】
天井支持部を形成する手段を有する、請求項１〜８のいずれか１項に記載の壁面コーニス。
【請求項１０】
必要に応じて前記コーニスの内側に手を届かせることができるように前記コーニスと係合するようになっている、取り外し可能または蝶番式のカバープレートを有する、請求項１〜９のいずれか１項に記載の壁面コーニス。
【請求項１１】
室内の任意の窓またはドアの上面の全体にわたって連続でき、それによってそのような窓およびドアの金具覆いを形成する請求項１０に記載の壁面コーニス。
【請求項１２】
前記コーニスが部屋の壁の上方周囲を連続的に囲んでいる、請求項１１に記載の壁面コーニス。
【発明の詳細な説明】
【０００１】
【技術分野】
本発明は、建築設計と建築様式に関し、特に、建物室内でケーブルおよび配線等をダクトに通すための、効果的で融通性のある手段を提供する技術分野に関する。
【０００２】
【発明の背景】
大多数の建築物、特にレンガまたはコンクリート製の建築物は、内側に間柱、外側に例えばブロックを使って建造されている。
【０００３】
内壁は、ケーブルを通すこともできる空洞を覆う石膏ボードを含んでいることもあるし、漆喰を塗り付けることができるブロックまたはコンクリートなどの固体面のこともある。後者の場合、電線等が漆喰より後退させられていることもあるが、そうでなければ電線等は、屋根から壁または壁に隣接する幅木の上に配置された電源コンセントに延びる電線管の中に封入されることが普通であるケーブルを幅木の後ろに走らせることも知られている。
【０００４】
これらの全ての状況において、ひとたび建物が完成してしまうと、必要に応じてそのようなケーブルを配置すること、特に新たな電源コンセントまたは他の引出口を形成することは難しい。したがって、電力とケーブルの両方を必要とし得るコンピュータおよびその他の装置などの新製品を人々が入手すると、そのような製品を設置するのが大変で、また、製品から電源コンセントまで床を横切る配線も急増する。
【０００５】
多数のコンピュータを有する企業では、便利なケーブル設置が特に必要とされており、建物内で照明または他の電源コンセントが要望されるどんな場所にも便利よく配置できることが一般に望ましい。
【０００６】
室内の電源コンセントの配置が変えられないということは問題であり、これは企業に限られたことではない。例えば、電源を必要とするその取得資産は変化するので、人々は電源コンセント位置について必ずしも同じ空間要件を有しない。
【０００７】
また、病院や老人介護施設では、部屋に居るさまざまな患者が異なるタイプの電気機器を必要とすることがある、それによって、電源コンセント等が不可変に配置されていると利用可能空間の有効利用が困難となる。例えば、ベッドおよび関連機器の位置は、特定の人間の障害に応じて変わり得る。
【０００８】
建物が分割されており、そのような分割を必要に応じて再配置することが要望される場合、電源コンセントおよびケーブル引出口を容易に再配置する何らかの手段を有することも望ましい。
【０００９】
【発明の概要】
本発明の目的は、コンピュータ、照明、および電源用のものを含む建物の室内に必要なケーブルおよび配線を目立たないように容易に使用する方法を提供することであり、
本発明は、部屋の壁の周囲を少なくとも部分的に囲むように配置されている壁面コーニスであって、このコーニスは、配線、ケーブル、ダクトおよび他の材料を収容して支えるように形成されており、また、コーニス内の電源を、コーニス下方の任意の所要位置に電力を送るようになっている給電手段に接続する手段を備えており、それによって室内における固定された電源コンセントの必要を無くす。
【００１０】
このコーニスはケーブルを支えるだけでなく、逓降変圧器を収容したり、電気母線を形成したり、天井の支持部としても使用できる。コーニスは、室内に必要な任意の配線をさらに支えることができる。しかしながら、室内において必要とされる全電力が、コーニス内の電気母線から供給されることが好ましい。
【００１１】
窓およびドア等の上方に金具覆いを形成するように、これらの物体に母線がかからないようにコーニスを使用することができ、それによって部屋の周囲に整合性のある外観を与えることも好ましい。
【００１２】
また、準備されるコーニスが壁の上縁部に隣接しており、室内で必要とされるすべての電気および他のケーブルを、このコーニスからどこでも必要な場所に配線できることが好ましい。
【００１３】
また、本発明のコーニスは、吊り下げ式の壁ユニットを支持する設備を有することも好ましいかもしれない。
【００１４】
本発明のコーニスは、固定されたすべての配線を住居および住宅等から排除するのを推進するものである。この思想により、住宅開発業者は、ここの居住者のニーズに合うように容易に整えることができる住宅構造を提供できる。これは、電力および照明に関するあらゆる要求事項を後から追加でき、また、建売の住宅建築物では許されない物品を後になって追加できるからである。
【００１５】
本発明の思想を使用すれば、台所用品を個々の顧客の要求に合わせてあちこちに動かしたり、変更させることさえ可能である。この種の融通性および提供され得る選択範囲は比類無きものであり、住宅開発業者が開発コストを抑える上で大きな利点となる。
【００１６】
本発明がもっと容易に理解されるよう、そのいくつかの実施態様を添付図面を参照しながら非限定的な例として説明する。
【００１７】
すべてのケーブルを処理するコーニス装置の第１の実施形態（図１）には、標準サイズのレースウェイが設けられている。コーニスの主押出成形品１０が壁の上方角部にはめ込まれ、その中に電力線または母線１１が図３に示されるように留められている。
【００１８】
アダプタ１２により、配線系統のコネクタを用いて母線から電力を取り出すことができる。標準的なそのようなシステムでそうであるように、回転式のつまみ１４によって導線を電力線に連結するが、出力位置が固定されているので、設置された設備や電源コンセント等に構成部品１５を介して電力を供給するための他の接点一式がアダプタ内に必要である。
【００１９】
それから、図５に示されるように多数のブラケット２０が押出成形品に留められ、照明用に調整したケーブル、電話ケーブル、カテゴリ５適合ケーブル、および電源用に調整した配線を含む配線２１が、「ケーブル・トレー」を形成するブラケット２０の上に置かれる。
【００２０】
次に鋼製の調度品吊りストリップ２２が押出成形品の下部に固定され、垂直吊り掛け部材２３が溝２５によって、縁端部２４に沿って調度品吊りストリップ２２から吊り下げられる。それからパネル３０が、溝付きの垂直吊り掛け部材に留められる。このパネルは、棚、壁面取付け式のスピーカ、キャビネットおよび他の調度品を含む調度品、または必要とされる設備を収容し得る。また、電源コンセント付きのパネルをこれらの垂直部材から吊り下げることができ、必要があれば容易に位置を変えることができる。
【００２１】
図６は、ブラケット２０システムに支持されている天井４０の縁端部を示し、他方、図１は、カバープレート５０が所定の位置に留められている全体配置を示す。本発明のこの実施形態では、カバープレートが所定の位置に留められた状態で示されているが、カバープレートはコーニスに蝶番式に取り付けられてもよいことが考えられるであろう。また、本発明の他の実施形態を、コーニスの形状に応じて適切に平板以外の他の形に形成されたカバーに使用できることも考えられる。
【００２２】
このコーニス装置は、プラスチックまたは任意の金属を含む任意の適切な材料から製造されると考えられる。しかしながら、コーニスの関係部分は、吊り下がる壁部材を支持する十分な強度を備えている必要がある。また、コーニスブラケットによって支持される内張り天井が無い場合に、天井まで延びる側のカバープレートを含む本発明の別の実施形態も考えられる。
【００２３】
いずれの実施形態においても、ドアおよび窓の近傍に母線が無い状態にコーニスを天井の全周に延ばすことができ、そのためコーニスがこれらの領域で金具覆いとして作用して、それによって室内により均一な印象を与えると考えられる。
【００２４】
本発明のようなコーニスにより、新技術、コンピュータ、追加の電話線等に容易適応できる高機能の視聴覚機器の設置と関連させることができるかもしれない壁ユニットを設備できる。
【００２５】
本発明のコーニスにより、洗面所キャビネット等に組込式の電源や照明を備えることができるバスルームを提供できるように、変化するニーズに合わせた機能を備えたキッチンを提供できる。
【００２６】
組込式の電源、照明、電話、インターホン、および視聴覚機能を提供するという同様の概念を枕元に適用することもでき、機器等の配置の融通性が極めて重要となる養護施設、老人介護施設、または病院で使用するのに非常に有益な効果があることが明白である。この領域には、本発明の思想の多くの応用例も存在し、特に、病院における各種気体の供給又は吸引、および監視機器、および関連する電力等の設備を含むようにすることもでき、それによって枕元の機器を現在の場合よりはるかに簡単に更新および再配置できるようになる。本発明の思想は、全部の部屋が必要とする供給物を壁面コーニスから一元化することを含み、これによってそのような供給物の他の供給源を必要としなくする。
【００２７】
したがって、本発明の他の実施形態は前述の特徴を任意の数だけ任意の組み合わせで示すと考えられる。また、本明細書では、本発明のいくつかの実施形態しか説明しなかったが、本発明の精神および範囲から逸脱することなく本発明の変形例および変更例を形成できることを理解されたい。
【図面の簡単な説明】
【図１】
壁と天井パネルを含む、実施形態のコーニス装置の斜視断面図である。
【図２】
コーニスのシャーシの基本押出成形品を示す図である。
【図３】
コーニスのシャーシの中に留められた電力線（母線）を示す図である。
【図４】
電力を母線から取り出せるようにするアダプタを備えたコーニスを示す図である。
【図５】
垂直吊り掛け部材が調度品の吊りストリップの上方に吊り下げられているコーニスを示す図である。
【図６】
壁および天井支持部が本来の位置にあるコーニスを示す図である。
【国際公開パンフレット】
2004507196.tif 000003
2004507196.tif 000004
2004507196.tif 000005
2004507196.tif 000006
2004507196.tif 000007
2004507196.tif 000008
2004507196.tif 000009
2004507196.tif 000010
2004507196.tif 000011
2004507196.tif 000012
2004507196.tif 000013
2004507196.tif 000014
2004507196.tif 000015
2004507196.tif 000016
2004507196.tif 000017
2004507196.tif 000018
2004507196.tif 000019
2004507196.tif 000020
【国際公開パンフレット（コレクトバージョン）】
2004507196.tif 000021
2004507196.tif 000022
2004507196.tif 000023
2004507196.tif 000024
2004507196.tif 000025
2004507196.tif 000026
2004507196.tif 000027
2004507196.tif 000028
2004507196.tif 000029
2004507196.tif 000030
2004507196.tif 000031
2004507196.tif 000032
2004507196.tif 000033
2004507196.tif 000034
2004507196.tif 000035
2004507196.tif 000036
【国際調査報告】
2004507196.tif 000037
2004507196.tif 000038
2004507196.tif 000039